(57)【要約】【課題】原稿搬送装置にカバーを設けた場合にあっても、原稿搬送装置として使用する場合において、使い勝手を損なわない構成を備えるカバーを有する原稿搬送装置および画像形成装置を提供する。【解決手段】画像形成部の上部側に設けられた原稿搬送装置１４０であって、搬送される原稿を載置するトレイ部と、トレイ部を覆う第１カバー１５１と、第１カバー１５１を、その少なくとも一部が水平状態を維持したままスライド移動可能に保持する保持機構２００とを備える。【選択図】図９
2019219573.tif 000002
【特許請求の範囲】
【請求項１】
画像形成部の上部側に設けられた原稿搬送装置であって、
搬送される原稿を載置するトレイ部と、
前記トレイ部を覆うカバーと、
前記カバーを、その少なくとも一部が水平状態を維持したままスライド移動可能に保持する保持機構と、
を備える、原稿搬送装置。
【請求項２】
前記保持機構は、前記カバーを前後方向にスライド移動可能に保持する機構を含む、請求項１に記載の原稿搬送装置。
【請求項３】
前記保持機構は、前記カバーを左右方向にスライド移動可能に保持する機構を含む、請求項１に記載の原稿搬送装置。
【請求項４】
前記カバーは、第１カバー部材および第２カバー部材を含み、
前記第１カバー部材および前記第２カバー部材は相互に折れ曲がり可能に設けられ、
前記第１カバー部材および前記第２カバー部材の少なくともいずれか一方は、水平状態を維持したままスライド移動可能に保持されている、請求項１から請求項３のいずれか１項に記載の原稿搬送装置。
【請求項５】
前記保持機構は、前記カバーを、回動開閉可能に保持するヒンジ機構をさらに含む、請求項１から請求項４のいずれか１項に記載の原稿搬送装置。
【請求項６】
画像形成部、画像読取装置および原稿搬送装置を備える、画像形成装置であって、
前記原稿搬送装置は、
搬送される原稿を載置するトレイ部と、
前記トレイ部を覆うカバーと、
前記カバーを、その少なくとも一部が水平状態を維持したままスライド移動可能に保持する保持機構と、を含み、
前記保持機構は、
前記画像読取装置に対して回動可能に接続された第１領域と、
水平方向へ移動可能に前記第１領域に接続された第２領域と、を含む、
画像形成装置。
【請求項７】
前記画像読取装置に対して回動可能に接続された前記第１領域の支点部には、回転を規制する負荷部材を有し、
前記負荷部材により前記第１領域を任意の回転角度位置に保持することができる、請求項６に記載の画像形成装置。
【請求項８】
画像形成部、画像読取装置および原稿搬送装置を備える、画像形成装置であって、
前記原稿搬送装置は、
搬送される原稿を載置するトレイ部と、
前記トレイ部を覆うカバーと、
前記カバーを、その少なくとも一部が水平状態を維持したままスライド移動可能に保持する保持機構と、を含み、
前記保持機構は、
前記画像読取装置に対して水平状態を維持したままスライド移動可能に接続された第１領域と、
前記第１領域に対し回動可能に接続された第２領域と、を含む、
画像形成装置。
【請求項９】
前記第１領域に対し回動可能に接続された前記第２領域の支点部には、回転を規制する負荷部材を有し、
前記負荷部材により前記第２領域を任意の回転角度位置に保持することができる、請求項８に記載の画像形成装置。
【発明の詳細な説明】
【技術分野】
【０００１】
本発明は、原稿搬送装置および画像形成装置に関する。
【背景技術】
【０００２】
画像形成装置に設けられる画像読取装置においては、原稿搬送装置（ＡＤＦ：Ａｕｔｏ  Ｄｏｃｕｍｅｎｔ  Ｆｅｅｄｅｒ）で通紙した原稿を揃えたり、いくつかの原稿を置いておくための作業台が必要となる。通常、別の作業台を画像形成装置の筐体の外形からはみ出た状態で設置される場合が多い。この場合には、全体としての画像形成装置の専有面積が増加する。
【０００３】
一方、原稿搬送装置に、埃、塵、その他の異物の侵入を防止するために、原稿搬送装置のトレイを覆うカバーを有する原稿搬送装置が、特開２０１５―１９３４５４号公報（特許文献１）に提案されている。
【０００４】
この特許文献１に開示される原稿搬送装置のトレイを覆うカバーは、隣り合う位置にある二つのカバーのうち、一方を開閉可能に構成するに当たって、二つのカバーの間から、原稿搬送装置の内部への異物の侵入を抑制する構成を有している。
【先行技術文献】
【特許文献】
【０００５】
【特許文献１】特開２０１５―１９３４５４号公報
【発明の概要】
【発明が解決しようとする課題】
【０００６】
上述したカバーが閉じている場合、上面が水平になっている場合が多い。そこで、本願発明者らは、原稿搬送装置を使わない場合、テーブルとして活用することを知見した。しかし、原稿搬送装置を使用する場合には、カバーを開ける必要があり、単にカバーをテーブルと使用するだけでは、原稿搬送装置を使用する度に、カバー上の用紙等を取り除かなくてはならず、使い勝手が悪い。
【０００７】
この発明は、上記課題に鑑みてなされたものであり、原稿搬送装置にカバーを設けた場合にあっても、原稿搬送装置として使用する場合において、使い勝手を損なわない構成を備えるカバーを有する原稿搬送装置および画像形成装置を提供することを目的とする。
【課題を解決するための手段】
【０００８】
この原稿搬送装置においては、画像形成部の上部側に設けられた原稿搬送装置であって、搬送される原稿を載置するトレイ部と、上記トレイ部を覆うカバーと、上記カバーを、その少なくとも一部が水平状態を維持したままスライド移動可能に保持する保持機構とを備える。
【０００９】
他の形態においては、上記保持機構は、上記カバーを前後方向にスライド移動可能に保持する機構を含む。
【００１０】
他の形態においては、上記保持機構は、上記カバーを左右方向にスライド移動可能に保持する機構を含む。
【００１１】
他の形態においては、上記カバーは、第１カバー部材および第２カバー部材を含み、上記第１カバー部材および上記第２カバー部材は相互に折れ曲がり可能に設けられ、上記第１カバー部材および上記第２カバー部材の少なくともいずれか一方は、水平状態を維持したままスライド移動可能に保持されている。
【００１２】
他の形態においては、上記保持機構は、上記カバーを、回動開閉可能に保持するヒンジ機構をさらに含む。
【００１３】
この画像形成装置の一の局面においては、画像形成部、画像読取装置および原稿搬送装置を備える、画像形成装置であって、上記原稿搬送装置は、搬送される原稿を載置するトレイ部と、上記トレイ部を覆うカバーと、上記カバーを、その少なくとも一部が水平状態を維持したままスライド移動可能に保持する保持機構と、を含み、上記保持機構は、上記画像読取装置に対して回動可能に接続された第１領域と、水平方向へ移動可能に上記第１領域に接続された第２領域と、を含む。
【００１４】
他の形態においては、上記画像読取装置に対して回動可能に接続された上記第１領域の支点部には、回転を規制する負荷部材を有し、上記負荷部材により上記第１領域を任意の回転角度位置に保持することができる。
【００１５】
この画像形成装置の他の局面においては、他の形態においては、画像形成部、画像読取装置および原稿搬送装置を備える、画像形成装置であって、上記原稿搬送装置は、搬送される原稿を載置するトレイ部と、上記トレイ部を覆うカバーと、上記カバーを、その少なくとも一部が水平状態を維持したままスライド移動可能に保持する保持機構と、を含み、上記保持機構は、上記画像読取装置に対して水平状態を維持したままスライド移動可能に接続された第１領域と、上記第１領域に対し回動可能に接続された第２領域と、を含む。
【００１６】
他の形態においては、上記第１領域に対し回動可能に接続された上記第２領域の支点部には、回転を規制する負荷部材を有し、上記負荷部材により上記第２領域を任意の回転角度位置に保持することができる。
【発明の効果】
【００１７】
この原稿搬送装置および画像形成装置によれば、原稿搬送装置にカバーを設けた場合にあっても、原稿搬送装置として使用する場合において、使い勝手を損なわない構成を備えるカバーを有する原稿搬送装置および画像形成装置の提供を可能とする。
【図面の簡単な説明】
【００１８】
【図１】関連技術の画像形成装置に採用される画像読取装置の、カバーが閉じている状態を示す前面側斜視図である。
【図２】関連技術の第１カバーを開いた状態を示す前面側斜視図である。
【図３】関連技術の第１カバーを開いた状態を示す側面図である。
【図４】関連技術の第１カバーを開いた状態を示す後側斜視図である。
【図５】関連技術の第１および第２カバーを開いた状態を示す左前面側斜視図である。
【図６】関連技術の第１および第２カバーを開いた状態を示す側面図である。
【図７】関連技術の第１および第２カバーを開いた状態を示す右前面側斜視図である。
【図８】実施の形態１における、前後方向に沿った断面で見た場合の原稿搬送装置の第１状態（閉状態）を示す断面図である。
【図９】実施の形態１における、前後方向に沿った断面で見た場合の原稿搬送装置の第２状態（開状態）を示す断面図である。
【図１０】実施の形態１における、第１カバーを開放した状態を示す断面図である。
【図１１】実施の形態２における、前後方向に沿った断面で見た場合の原稿搬送装置の第１状態（閉状態）を示す断面図である。
【図１２】実施の形態２における、前後方向に沿った断面で見た場合の原稿搬送装置の第２状態（開状態）を示す断面図である。
【図１３】実施の形態３における、前側から見た場合の原稿搬送装置の第１状態（閉状態）を示す断面図である。
【図１４】実施の形態３における、側面側から見た場合の原稿搬送装置の第１状態（閉状態）を示す断面図である。
【図１５】実施の形態３における、前側から見た場合の原稿搬送装置の第２状態（第１カバー横開状態）を示す断面図である。
【図１６】実施の形態３における、側面側から見た場合の原稿搬送装置の第３状態（第１カバー全開状態）を示す断面図である。
【発明を実施するための形態】
【００１９】
以下、図を参照しながら、各実施の形態における画像形成装置について説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００２０】
（画像形成装置１００）
図１を参照して、関連技術における画像形成装置１００について説明する。図１は、本実施の形態に係る画像形成装置１００において、カバーが閉じている状態を示す斜視図である。
【００２１】
図１において、矢印Ｕ，Ｄは、上下方向を示し、矢印Ｌ，Ｒは画像形成装置１００の左右方向を示し、矢印Ｆｒ，Ｒｅは画像形成装置の前後方向を示す。なお、これらの矢印の意義については、以降に現れる図においても共通である。画像形成装置１００に対して通常ユーザーが操作するために立つ位置側が前側、その反対を後側、ユーザーの左手側を左側、ユーザーの右手側が右側となる。また、画像形成装置１００の使用状態に鑑みると、矢印Ｌ，Ｒおよび矢印Ｆｒ，Ｒｅは、水平面を含むように配置され、矢印Ｕ，Ｄは、鉛直方向に沿う方向となる。
【００２２】
図１を参照して、画像形成装置１００は、主として、画像を形成する画像形成部１１０と、原稿の画像を読み取る画像読取装置１３０と、原稿搬送装置１４０とを備える。画像形成部１１０は、画像形成装置１００の下部側を構成し、画像読取装置１３０および原稿搬送装置１４０は、画像形成装置１００の上部側を構成する。画像形成部１１０の前面側には、操作パネル１１１が設けられている。
【００２３】
原稿搬送装置１４０は、第１カバー１５１、および、第２カバー１５２を含む。第１カバー１５１は、第２カバー１５２側に向って延びる延長カバー１５１ａを含む。
【００２４】
図２から図４を参照して、第１カバー１５１および原稿搬送装置１４０について説明する。図２は、第１カバー１５１を開いた状態を示す前面側斜視図、図３は、その側面図、図４は、その後側斜視図である。以降の図面においては、画像形成装置１００の全体の図示は省略し、画像読取装置１３０および原稿搬送装置１４０を図示するものとする。
【００２５】
原稿搬送装置１４０は、用紙等の原稿を保持するトレイ部１４０ｔと、原稿を搬送する搬送部１４０ｆとを有する。第１カバー１５１は、トレイ部１４０ｔを覆い、第２カバー１５２は、搬送部１４０ｆを覆っている。第１カバー１５１は、第１ヒンジ装置１５１Ｈを用いて、画像読取装置１３０に対して後側（矢印Ｒｅ方向）に向けて回動開閉可能に取り付けられている。原稿搬送装置１４０も、ヒンジ装置１４０Ｈを用いて、画像読取装置１３０に対して後側（矢印Ｒｅ方向）に向けて回動開閉可能に取り付けられている。
【００２６】
図５から図７を参照して、第２カバー１５２について説明する。図５は、第１および第２カバーを開いた状態を示す左前面側斜視図、図６はその側面図である、図７はその右前面側斜視図である。
【００２７】
原稿搬送装置１４０は、第１カバー１５１に加え、第２カバー１５２を有する。第２カバー１５２は、図示省略するヒンジ装置を用いて、原稿搬送装置１４０に対して左側（矢印Ｒ方向）に向けて回動開閉可能に取り付けられている。第１カバー１５１には、第２カバー１５２に対してオーバーラップする延長カバー１５１ａが設けられていることから、第１カバー１５１を開放した状態において、第２カバー１５２が開放可能となる。
【００２８】
再び、図１を参照して、第１カバー１５１および第２カバー１５２を閉じた状態では、第１カバー１５１（延長カバー１５１ａを含む）および第２カバー１５２により、画像読取装置１２０の上面は平坦面となる。よって、この平坦面をテーブルとして活用することができる。しかし、原稿搬送装置１４０を使用する場合には、第１カバー１５１を開放するために、第１カバー１５１の上に載置した用紙等の載置物を移動させる必要がある。
【００２９】
（実施の形態１：原稿搬送装置１４０／保持機構２００）
以下、図を参照しながら、本願発明に基づく実施の形態におけるカバー構造を備えた、原稿搬送装置および画像形成装置について説明する。画像形成装置において、画像形成部および画像読取装置の構成は、上述した画像形成装置１００と同じであることから、以下の各実施の形態では、原稿搬送装置の構成について説明する。
【００３０】
図８から図１０を参照して、実施の形態１における原稿搬送装置１４０について説明する。図８は、本実施の形態における、前後方向に沿った断面で見た場合の原稿搬送装置１４０の第１状態（閉状態）を示す断面図、図９は、前後方向に沿った断面で見た場合の原稿搬送装置１４０の第２状態（開状態）を示す断面図、図１０は、第１カバー１５１を開放した状態を示す断面図である。
【００３１】
図８を参照して、この原稿搬送装置１４０は、搬送される原稿を載置するトレイ部１４０ｔ（図２参照）と、このトレイ部１４０ｔを覆う第１カバー１５１と、第１カバー１５１を、水平状態を維持したままスライド移動可能に保持する保持機構２００とを備える。
【００３２】
保持機構２００は、第１カバー１５１を前後方向にスライド移動可能に保持する。保持機構２００は、画像読取装置１３０側には、画像読取装置１３０に固定されたヒンジ機構２０１、および、ヒンジ機構２０１に固定され水平方向に延びるように設けられた第１接続部材２０６を含む。第１接続部材２０６の前側寄りの位置には、後述するかえり部２０５が係合するロック孔２０６ｈが設けられている。
【００３３】
第１カバー１５１側には、第１カバー１５１の内面において前後方向にスライド可能に設けられたロックバー２０８が設けられている。ロックバー２０８は、通常状態においては前側の位置が維持されるようにバネ等の力により付勢されている。ロックバー２０８の前側には、回転軸Ｐ６により回動可能に連結されたロックレバー２０７が連結されている。ロックレバー２０７は、回転軸Ｐ６を中心に回転可能に第１カバー１５１に取り付けられている。ロックレバー２０７の後端側には、かえり部２０５が設けられている。
【００３４】
第１接続部材２０６とロックバー２０８との間には、平行リンク機構を構成するように、第２後側接続部材２０２および第２前側接続部材２０３が設けられている。
【００３５】
第２後側接続部材２０２の一端側は、後側回転軸Ｐ１により第１接続部材２０６に対して回動可能に連結され、第２後側接続部材２０２の他端側は、後側回転軸Ｐ２によりロックバー２０８に対して回動可能に連結されている。第２前側接続部材２０３の一端側は、前側回転軸Ｐ３により第１接続部材２０６に対して回動可能に連結され、第２前側接続部材２０３の他端側は、前側回転軸Ｐ４によりロックバー２０８に対して回動可能に連結されている。
【００３６】
図８に示す状態においては、ロックバー２０８のかえり部２０５がロック孔２０６ｈに係合した状態である。この状態では、ロックバー２０８と第１接続部材２０６とは一体となっていることから、第１カバー１５１は、画像読取装置１３０に対してヒンジ機構２０１を中心にして回動開閉可能である。ヒンジ機構２０１には、回転を規制する公知の負荷部材を設けることで、第１カバー１５１を任意の回転角度位置に保持させることができる。
【００３７】
図９に示す状態において、ロックレバー２０７を手前に引くことで、ロックバー２０８のかえり部２０５のロック孔２０６ｈへの係合を解除することができる。解除した状態で、第１カバー１５１を上方に持ち上げると、第１接続部材２０６およびロックバー２０８により構成された平行リンク機構に基づき、第１カバー１５１を水平状態を維持したまま前後方向に向けてスライド移動させることができる。
【００３８】
後側回転軸Ｐ１、後側回転軸Ｐ２、前側回転軸Ｐ３および後側回転軸Ｐ４の少なくともいずれか一箇所の回転軸に、回転を規制する公知の負荷部材を設けることで、この負荷部材により第１カバー１５１を水平状態を維持したまま任意の回転角度位置に保持させることができる。
【００３９】
ここで、保持機構２００において、第２後側接続部材２０２および第２前側接続部材２０３は、画像読取装置１３０に対して回動可能に接続された第１領域を構成し、ロックバー２０８およびロックレバー２０７は、水平方向へ移動可能に第１領域に接続された第２領域を構成する。
【００４０】
以上の構成を備える保持機構２００によれば、図１０に示すように、第１カバー１５１の上面を水平状態を保ったまま、第１カバー１５１の開閉を行なうことができる。その結果、第１カバー１５１の上面に用紙等を載置した状態のままで、第１カバー１５１の画像読取装置１３０に対する開閉を行なうことが可能となる。これにより、第１カバー１５１をテーブルとして活用することが可能となる。
【００４１】
他方、図１０に示すように、ロックバー２０８のかえり部２０５がロック孔２０６ｈに係合した状態のままであれば、ヒンジ機構２０１を支点に第１カバー１５１を画像読取装置１３０に対して大きく開放させることができる。これにより、大サイズ原稿や多数枚原稿を、容易にトレイ部１４０ｔ（図２参照）にセットすることができる。
【００４２】
（実施の形態２：保持機構２００Ａ）
以下、図１１および図１２を参照しながら、実施の形態２における保持機構２００Ａについて説明する。図１１は、本実施の形態における、前後方向に沿った断面で見た場合の原稿搬送装置１４０の第１状態（閉状態）を示す断面図、図１２は、前後方向に沿った断面で見た場合の原稿搬送装置１４０の第２状態（開状態）を示す断面図である。実施の形態１の保持機構２００と同一の構成については、同一の参照番号を付し重複する説明は繰り返さない。
【００４３】
上述した保持機構２００との相違点は、本実施の形態においては、第１カバー１５１が、第１カバー部材１５１Ａおよび第２カバー部材１５１Ｂを含み、第１カバー部材１５１Ａおよび第２カバー部材１５１Ｂは相互に折れ曲がり可能に設けられている。具体的には、ロックバー２０８、第２後側接続部材２０２および第２前側接続部材２０３は、第１カバー部材１５１Ａ側に取付されており、第１カバー部材１５１Ａが、第１接続部材２０６およびロックバー２０８により構成された平行リンク機構に基づき、第１カバー部材１５１Ａを水平状態を維持したまま前後方向に向けてスライド移動させることができる。
【００４４】
一方、第２カバー部材１５１Ｂは、連結部材１５１Ｃにより第２後側接続部材２０２に固定されている。よって、第２カバー部材１５１Ｂは、第２後側接続部材２０２の回動に追従することとなる。
【００４５】
ここで、保持機構２００Ａにおいて、第２後側接続部材２０２、第２前側接続部材２０３、および、第２カバー部材１５１Ｂは、画像読取装置１３０に対して回動可能に接続された第１領域を構成し、ロックバー２０８およびロックレバー２０７は、水平方向へ移動可能に第１領域に接続された第２領域を構成する。
【００４６】
以上の構成を備える保持機構２００Ａによれば、図１２に示すように、第１カバー部材１５１Ａの上面を水平状態を保ったまま、第１カバー部材１５１Ａの開閉を行なうことができる。その結果、第１カバー部材１５１Ａの上面に用紙等を載置した状態のままで、第１カバー部材１５１Ａの画像読取装置１３０に対する開閉を行なうことが可能となる。これにより、第１カバー部材１５１Ａをテーブルとして活用することが可能となる。
【００４７】
他方、ロックバー２０８のかえり部２０５がロック孔２０６ｈに係合した状態のままであれば、ヒンジ機構２０１を支点に第１カバー部材１５１Ａおよび第２カバー部材１５１Ｂを一体として、画像読取装置１３０に対して大きく開放させることができる。これにより、大サイズ原稿や多数枚原稿を、容易にトレイ部１４０ｔ（図２参照）にセットすることができる（図１０参照）。
【００４８】
（実施の形態３：保持機構２００Ｂ）
以下、図１３から図１６を参照しながら、実施の形態３における保持機構２００Ｂについて説明する。図１３は、本実施の形態における、前側から見た場合の原稿搬送装置１４０の第１状態（閉状態）を示す断面図、図１４は、側面側から見た場合の原稿搬送装置１４０の第１状態（閉状態）を示す断面図、図１５は、本実施の形態における、前側から見た場合の原稿搬送装置１４０の第２状態（第１カバー１５１横開状態）を示す断面図、図１６は、側面側から見た場合の原稿搬送装置１４０の第３状態（第１カバー１５１全開状態）を示す断面図である。実施の形態１の保持機構２００と同一の構成については、同一の参照番号を付し重複する説明は繰り返さない。
【００４９】
図１３および図１４を参照して、本実施の形態における保持機構２００Ｂの基本的な構成は、上記保持機構２００と同じであるが、画像読取装置１３０に固定される第１接続部材２０６と、第１カバー１５１側に固定される第２接続部材２０４との間には、第１カバー１５１を横方向（左右方向）にのみスライドさせるスライド機構２１０が設けられている。このスライド機構２１０は、第１カバー１５１を前後方向にはスライドさせない。
【００５０】
ここで、保持機構２００Ｂにおいて、第１接続部材２０６、画像読取装置１３０に対して回動可能に接続された第１領域を構成し、第２接続部材２０４が水平方向へ移動可能に第１接続部材２０６に接続された第２領域を構成する。
【００５１】
以上の構成を備える保持機構２００Ｂによれば、図１５に示すように、第１カバー１５１の上面を水平状態を保ったまま、第１カバー１５１の開閉を行なうことができる。その結果、第１カバー１５１の上面に用紙等を載置した状態のままで、第１カバー１５１の画像読取装置１３０に対する開閉を行なうことが可能となる。これにより、第１カバー１５１をテーブルとして活用することが可能となる。
【００５２】
他方、図１６に示すように、ヒンジ機構２０１を支点に第１カバー１５１を画像読取装置１３０に対して大きく開放させることができる。これにより、大サイズ原稿や多数枚原稿を、容易にトレイ部１４０ｔ（図２参照）にセットすることができる。
【００５３】
以上、本発明の各実施の形態について説明したが、今回開示された各実施の形態はすべての点で例示であって制限的なものではない。本発明の範囲は特許請求の範囲によって示され、特許請求の範囲と均等の意味および範囲内でのすべての変更が含まれる。
【符号の説明】
【００５４】
１００  画像形成装置、１１０  画像形成部、１１１  操作パネル、１２０，１３０  画像読取装置、１４０  原稿搬送装置、１４０Ｈ  ヒンジ装置、１４０ｆ  搬送部、１４０ｔ  トレイ部、１５１  第１カバー、１５１Ａ  第１カバー部材、１５１Ｂ  第２カバー部材、１５１Ｃ  連結部材、１５１Ｈ  第１ヒンジ装置、１５１ａ  延長カバー、１５２  第２カバー、２００，２００Ａ，２００Ｂ  保持機構、２０１  ヒンジ機構、２０２  第２後側接続部材、２０３  第２前側接続部材、２０４  第２接続部材、２０５  かえり部、２０６  第１接続部材、２０６ｈ  ロック孔、２０７  ロックレバー、２０８  ロックバー、２１０  スライド機構。
【図１】
2019219573.tif 000003
【図２】
2019219573.tif 000004
【図３】
2019219573.tif 000005
【図４】
2019219573.tif 000006
【図５】
2019219573.tif 000007
【図６】
2019219573.tif 000008
【図７】
2019219573.tif 000009
【図８】
2019219573.tif 000010
【図９】
2019219573.tif 000011
【図１０】
2019219573.tif 000012
【図１１】
2019219573.tif 000013
【図１２】
2019219573.tif 000014
【図１３】
2019219573.tif 000015
【図１４】
2019219573.tif 000016
【図１５】
2019219573.tif 000017
【図１６】
2019219573.tif 000018